(57)【要約】【課題】固定フレームに組み込む際のＬＣＤの破損を防止し、且つＬＣＤの照光用の光学シートを容易に位置決め可能なＬＣＤ固定構造及びこれを備えた携帯端末を提供する。【解決手段】ＬＣＤ１と、ＬＣＤを照光するための光学シート２とが、壁部５ａと床部５ｂとが断面視略Ｌ字形状をなす額縁状の固定フレーム５によって支持され、光学シート２の周縁部に形成された舌片状の位置規制用突起３が、壁部５ａから床部５ｂまで達する切り欠きとして固定フレーム５に形成された凹形状４と嵌合することによって光学シート２の位置決めがなされ、位置決めがなされた光学シート２の上からＬＣＤ１が固定フレーム５に固定されるＬＣＤ固定構造であって、壁部５ａは、凹形状４に面する側及び内壁側では、端部に向かって高さが連続的に減少する。【選択図】図２
2010102141.tif 000002
【特許請求の範囲】
【請求項１】
液晶表示装置と、該液晶表示装置を照光するための光学シートとが、壁部と床部とが断面視略Ｌ字形状をなす額縁状の固定フレームによって支持され、
前記光学シートの周縁部に形成された舌片状の凸部が、前記壁部から前記床部まで達する切り欠きとして前記固定フレームに形成された凹部と嵌合することによって前記光学シートの位置決めがなされ、
位置決めがなされた前記光学シートの上から前記液晶表示装置が前記固定フレームに固定されるＬＣＤ固定構造であって、
前記壁部は、前記凹部に面する側及び内壁側では、端部に向かって高さが連続的に減少することを特徴とするＬＣＤ固定構造。
【請求項２】
前記壁部の前記内壁側における前記壁部の高さが、前記液晶表示装置のガラス合わせ面よりも低いことを特徴とする請求項１記載のＬＣＤ固定構造。
【請求項３】
前記壁部の前記凹部に面する側及び前記内壁側に面取り部が設けられたことを特徴とする請求項１又は２記載のＬＣＤ固定構造。
【請求項４】
前記壁部の前記凹部に面する側及び前記内壁側に曲面部が設けられたことを特徴とする請求項１又は２記載のＬＣＤ固定構造。
【請求項５】
液晶表示装置と、該液晶表示装置を照光するための光学シートとが、壁部と床部とが断面視略Ｌ字形状をなす額縁状の固定フレームによって支持され、
前記光学シートの周縁部に形成された舌片状の凸部が、前記壁部から前記床部まで達する切り欠きとして前記固定フレームに形成された凹部と嵌合することによって前記光学シートの位置決めがなされ、
位置決めがなされた前記光学シートとは反対側から前記液晶表示装置が前記固定フレームに固定されるＬＣＤ固定構造であって、
前記壁部は、前記凹部に面する側では、端部に向かって高さが連続的に減少することを特徴とするＬＣＤ固定構造。
【請求項６】
前記壁部の前記凹部に面する側に面取り部が設けられたことを特徴とする請求項５記載のＬＣＤ固定構造。
【請求項７】
前記壁部の前記凹部に面する側に曲面部が設けられたことを特徴とする請求項５記載のＬＣＤ固定構造。
【請求項８】
請求項１から７のいずれか１項記載のＬＣＤ固定構造を備えた携帯端末。
【発明の詳細な説明】
【技術分野】
【０００１】
本発明は、ＬＣＤ（Liquid Crystal Display）を固定フレームに組み込む際に、固定フレームの角にＬＣＤのガラス合わせ部が乗り上げてＬＣＤの表示不具合が発生することを防止するとともに、ＬＣＤの照明のための光学シートの位置決めを容易に行えるＬＣＤ固定構造に関する。
【背景技術】
【０００２】
携帯端末の表示装置としては、一般的には液晶表示装置（ＬＣＤ）が適用されている。
【０００３】
図８に示すように、ＬＣＤ１１は、ガラスなどの透明基板の間に透明電極と液晶素子とを封入して構成された積層構造体であり、周縁には透明基板同士を貼り合わせた部分（ガラス合わせ部１７）が存在する。
【０００４】
一般にＬＣＤの背面には均一に照光するなどの目的で光学シートが配置され、透明電極に電圧を印加することによりバックライト光を透光するか遮光するかを画素単位で制御することで情報を表示する。一般に、光学シートは複数のシート状部材が組み合わせて用いられる。
【０００５】
固定フレームには、シート状部材に対応する数の切り欠きが設けられており、その切り欠き部分に位置規制用突起が嵌合しているか否かに基づいて任意のシート状部材の有無確認できるようにしている。
【０００６】
ＬＣＤは、光学シートと共に固定フレームに組み入れられた状態で携帯端末の筐体に固定される。
通常、図９、図１０示すように、固定フレーム１５は壁部１５ａと床部１５ｂとが断面視略Ｌ字形状をなした額縁状となっており、壁部１５ａから床部１５ｂにまで達する切り欠きによって凹形状１４が設けられている。光学シート１２の周縁には凹形状と対応するように舌片状の位置規制用突起が形成されており、壁部１５ａ側から挿入され、凹形状１４と位置規制用突起との嵌合によって、床部１５ｂと略同一面内に設置される。ＬＣＤ１１は、光学シート１２を設置済みの固定フレーム１５に対して、壁部１５ａ側から挿入され、両面テープで固定フレーム１５に接着される。
【０００７】
ところで、固定フレーム１５の凹形状１４の部分には三つの稜線が交わる角部１８が存在する。ＬＣＤ１１を固定フレーム１５に組み入れる際にＬＣＤガラスの合わせ部１７が角部１８に乗り上げた状態であると、図１１に示すように、ＬＣＤ１１がガラス合わせ部１７で剥離してしまい、表示不良が発生する原因となる。
【０００８】
光学素子をフレームに組み込むことに関連する発明として、特許文献１に開示される「フラットパネル型表示装置」や、特許文献２に開示される「液晶表示装置のバックライト構造」がある。
【特許文献１】特開２００１−８３９０１号公報
【特許文献２】特開２００３−１０７４６７号公報
【発明の開示】
【発明が解決しようとする課題】
【０００９】
特許文献１に開示される発明は、保持枠と液晶パネルの間に光学シートを組み込むことを想定していない。このため、図１２に示すように、保持壁２１の内側にのみテーパ面２２が設けられており、保持壁２１と別の保持壁２１との間の切欠部２３に面した側には、略直角の稜線２４が存在する。固定フレームの凹形状に嵌合させて光学シートの位置決めを行う場合、凹形状に面してこのような稜線が存在すると、光学シートを配置する際に位置規制用突起が稜線に引っかかってしまい、位置決めを行いにくくなってしまう。
【００１０】
また、特許文献２に記載の発明は、導光板の側面に設けたフック部を枠体の窓部に嵌合させる構成であるが、上記のように、光学シートは複数のシート状部材の集合体であり、個々のシート状部材は導光板と比べて薄く、機械的強度が低い。このため、光学シートに対して同様の構成を取ることは難しい。
【００１１】
このように、固定フレームに組み込む際のＬＣＤの破損を防止し、且つＬＣＤの照光用の光学シートを容易に位置決め可能なＬＣＤ固定構造は提供されていなかった。
【００１２】
本発明は係る問題に鑑みてなされたものであり、固定フレームに組み込む際のＬＣＤの破損を防止し、且つＬＣＤの照光用の光学シートを容易に位置決め可能なＬＣＤ固定構造及びこれを備えた携帯端末を提供することを目的とする。
【課題を解決するための手段】
【００１３】
上記目的を達成するため、本発明は、第１の態様として、液晶表示装置と、該液晶表示装置を照光するための光学シートとが、壁部と床部とが断面視略Ｌ字形状をなす額縁状の固定フレームによって支持され、光学シートの周縁部に形成された舌片状の凸部が、壁部から床部まで達する切り欠きとして固定フレームに形成された凹部と嵌合することによって光学シートの位置決めがなされ、位置決めがなされた光学シートの上から液晶表示装置が固定フレームに固定されるＬＣＤ固定構造であって、壁部は、凹部に面する側及び内壁側では、端部に向かって高さが連続的に減少することを特徴とするＬＣＤ固定構造を提供するものである。
【００１４】
また、上記目的を達成するため、本発明は、第２の態様として、上記本発明の第１の態様に係るＬＣＤ固定構造を備えた携帯端末を提供するものであるを提供するものである。
【発明の効果】
【００１５】
本発明によれば、固定フレームに組み込む際のＬＣＤの破損を防止し、且つＬＣＤの照光用の光学シートを容易に位置決め可能なＬＣＤ固定構造及びこれを備えた携帯端末を提供できる。
【発明を実施するための最良の形態】
【００１６】
〔第１の実施形態〕
本発明を好適に実施した第１の実施形態について説明する。
図１に示すように、ＬＣＤ１は、光学シート２を介在させた上で両面テープを用いて固定フレーム５に接着されることにより固定フレーム５に組み込まれ、固定フレーム５とともに筐体６に嵌合される。筐体６は、携帯電話機などの携帯端末の筐体である。
【００１７】
図２に、固定フレーム５の凹形状４を拡大して示す。図示するように、固定フレーム５は壁部５ａと床部５ｂとが断面視略Ｌ字形状をなした額縁状となっており、壁部５ａから床部５ｂにまで達する切り欠きによって凹形状４が設けられている。光学シート２には固定フレーム５に組み込む際の位置決めのために舌片状の位置規制用突起３が設けられている。
【００１８】
組立の際には、光学シート２を固定フレーム５に壁部側から挿入し、位置規制用突起３を凹形状４に嵌合させて位置決めした状態で光学シート２を固定フレーム５に組み込む。その後、ＬＣＤ１を固定フレーム５に壁部側から挿入し、両面テープで固定フレーム５に接着して組み込む。
【００１９】
図３に、固定フレーム５の角部８ａを通る断面を示す。図２、図３に示すように、固定フレーム５の凹形状４のコーナー部には、面取り部９が形成されている。換言すると、固定フレーム５の壁部５ａの内壁側と、凹形状４に面する側との端部に面取り部９が形成されている。
【００２０】
面取り部９が設けられているため、四つの稜線が交わる角部８ａの高さは、ＬＣＤ１のガラス合わせ部７よりも低くなっている。ＬＣＤ１を固定フレーム５に組み入れる際に、ガラス合わせ部７は角部８ａに当接しない。
【００２１】
なお、角部８ａの高さがＬＣＤ１のガラス合わせ部７よりも高い場合でも、角部８ａと角部８ｂとを結ぶ稜線と、鉛直方向（ＬＣＤ１の挿入方向）の稜線とがなす角度は９０°よりも大きいため、角部８ａにＬＣＤ１のガラス合わせ部７が乗り上げにくくなる。
【００２２】
また、三つの稜線が交わる角部８ｂは、面取り部９が存在することによってＬＣＤ１のガラス合わせ部７とは離間しているため、ＬＣＤ１を固定フレーム５に組み入れる際に、ガラス合わせ部７は角部８ｂに当接しない。
【００２３】
さらに、面取り部９が存在することにより、凹形状４の縁の部分では位置規制用突起３の幅よりも広くなっている。このため、図４に示すように、位置規制用突起３と凹形状４とがずれた状態であっても、ズレの大きさが面取り部９の幅以下であれば、位置規制用突起３は面取り部９に沿って凹形状４に導かれる。したがって、光学シート２が所定の位置からずれていても、位置規制用突起３を凹形状４に嵌合させる際に、光学シート２の位置合わせが自動的に行われることとなる。
【００２４】
このように、本実施形態によれば、固定フレームの角部へのＬＣＤの乗り上げを防止できる。これにより、ＬＣＤのガラス合わせ部での剥離の発生が防止され、不良の発生を低減できる。
また、光学シートの位置決めを容易に行える。
【００２５】
〔第２の実施形態〕
本発明を好適に実施した第２の実施形態について説明する。
図５に示すように、本実施形態においては、凹形状１０は固定フレーム５の床部側に設けられている。
本実施形態では、光学シート２は固定フレーム５の床部側から、ＬＣＤ１は固定フレーム５の壁部側から固定フレーム５に挿入されて固定される。
【００２６】
上記のように、ＬＣＤ１と光学シート２とを同じ側から固定フレーム５に組み付けると、ＬＣＤ１を挿入する側に角部が存在することとなるため、ガラス合わせ部７が角部に乗り上げてしまうが、本実施形態では、ＬＣＤ１と光学シート２とを別方向から固定フレーム５に挿入するため、ＬＣＤ１を挿入する側には角部が存在しない。すなわち、図６のＡ点では三つの稜線は交わらない。よって、ＬＣＤ１を固定フレーム５に組み入れる際に、ガラス合わせ部７が角部に当接して剥離が発生することはない。
【００２７】
図７に示すように、凹形状１０の両脇に面取り部９を形成することにより、第１の実施形態と同様に、光学シート２の位置決めを容易に行える。
【００２８】
なお、上記各実施形態は本発明の好適な実施の一例であり、本発明はこれに限定されることはない。
例えば、上記各実施形態においては、面取りを行った構成を例としたが、壁部の内壁側及び凹形状に面する側において、端部に向かって高さが連続的に減少する構造であれば良く、角部を丸めるようにしても良い。
このように、本発明は様々な変形が可能である。
【図面の簡単な説明】
【００２９】
【図１】本発明を好適に実施した第１の実施形態に係るＬＣＤ固定構造を示す図である。
【図２】第１の実施形態に係るＬＣＤ固定構造の固定フレームの凹形状を拡大して示す図である。
【図３】第１の実施形態に係るＬＣＤ固定構造の固定フレームの凹形状の部分での断面図である。
【図４】光学シートの位置規制用突起が面取り部に沿って凹形状に導かれる状態を示す図である。
【図５】本発明を好適に実施した第２の実施形態に係るＬＣＤ固定構造を示す図である。
【図６】第２の実施形態に係るＬＣＤ固定構造の固定フレームの凹形状の部分での断面図である。
【図７】光学シートの位置規制用突起が面取り部に沿って凹形状に導かれる状態を示す図である。
【図８】ＬＣＤの構造を示す図である。
【図９】本発明に関連する固定フレームの構造例を示す図である。
【図１０】本発明に関連する固定フレームの凹形状の部分での断面図である。
【図１１】ＬＣＤガラスが剥離する様子を示す図である。
【図１２】特許文献１に開示される発明の構成を示す図である。
【符号の説明】
【００３０】
１、１１    ＬＣＤ
２、１２    光学シート
３    位置規制用突起
４、１０、１４    凹形状
５、１５    固定フレーム
６    筐体
７、１７    ガラス合わせ部
８ａ、８ｂ、１８    角部
９    面取り部
【図１】
2010102141.tif 000003
【図２】
2010102141.tif 000004
【図３】
2010102141.tif 000005
【図４】
2010102141.tif 000006
【図５】
2010102141.tif 000007
【図６】
2010102141.tif 000008
【図７】
2010102141.tif 000009
【図８】
2010102141.tif 000010
【図９】
2010102141.tif 000011
【図１０】
2010102141.tif 000012
【図１１】
2010102141.tif 000013
【図１２】
2010102141.tif 000014